(57)【要約】【課題】本発明は、光ディスク記録装置が、ゾーンＣＬＶ方式の記録を行う際に、記録時の温度や、ディスクのばらつきなど、あらゆる条件により、ゾーンが切り替わったときの記録パワー対エラーレートの関係が変化することが原因で、ＯＰＣを実行しない記録速度における記録パワーの設定がズレることを補正することで、記録品質の悪化のない光ディスク装置および光ディスク装置の記録方法を提供することを目的とする。【解決手段】光ディスク装置が、ＯＰＣを実行する際に、２つの記録速度で実施し、記録速度の変化に対して、最適記録パワーの変化量の関係を取得し、設計段階で一意的に決定された従来の係数に対して求まった記録パワーに対して、前述の結果を利用して、補正を加えることにより、温度環境やディスクのばらつきの影響を回避することが可能となり、ＯＰＣを実行しないゾーンでの最適記録パワーのズレを補正することが可能となる。【選択図】図１
2005317064.tif 000002
【特許請求の範囲】
【請求項１】
記録型の光ディスクに対し、レーザの発光パターンを利用してデータを記録する光ディスク記録装置であって、
記録中の光ディスクからの反射光を受光する反射光受光手段と、
受光した信号を演算しＲＦ信号を生成するＲＦ信号生成手段と、
生成されたＲＦ信号から光ディスクに記録されたデータを再生した際の読み間違い数を演算するエラーレート演算手段と、
生成されたＲＦ信号からＲＦ信号の非対称性を演算し記録を行うための最適記録パワーを演算する記録パワー演算手段と、
演算された最適記録パワーに補正を加えるためのデータを保持する記録パワー補正値記憶手段と、
前記補正された最適記録パワーで発光するためのレーザパワー制御手段と、
を有することを特徴とする光ディスク装置。
【請求項２】
光ディスクのデータ記録領域を複数のゾーンに区切り、それぞれのゾーンにおいて、ＣＬＶ方式（線速度一定）の記録を実施する、ゾーンＣＬＶ記録の動作において、記録パワーを求めるために、光ディスク最内周にて試し書きを実施する際、２つの記録速度で試し書きを実施し、２速度分の結果を利用して、試し書きした２速度より速い記録速度における、最適記録パワーを算出するための補正を行うことを特徴とする請求項１記載の光ディスク装置。
【請求項３】
前記最適記録パワーの補正は、２速度分の試し書きの結果を３〜７段階に区分けし、前記記録パワー補正値記憶手段では、前記３〜７段階の結果に応じた補正量をテーブルとして記憶しておくことを特徴とする請求項１記載の光ディスク装置。
【請求項４】
記録型の光ディスクに対し、レーザの発光パターンを利用してデータを記録する光ディスクの記録方法であって、光ディスクのデータ記録領域を複数のゾーンに区切り、それぞれのゾーンにおいて、ＣＬＶ方式（線速度一定）の記録を実施する、ゾーンＣＬＶ記録の動作において、最適記録パワーを求めるために、光ディスク最内周にて試し書きを実施する際、２つの記録速度で試し書きを実施し、２速度分の記録速度の結果を利用して、試し書きした２速度より速い記録速度における、最適記録パワーを算出するための補正を行うことを特徴とする光ディスク装置の記録方法。
【請求項５】
前記最適記録パワーの補正は、２速度分の試し書きの結果を３〜７段階に区分けし、前記記録パワー補正値記憶手段では、前記３〜７段階の結果に応じた補正量をテーブルとして記憶しておくことを特徴とする請求項４記載の光ディスク装置の記録方法。
【発明の詳細な説明】
【技術分野】
【０００１】
本発明は光ディスクに情報を記録・再生する光ディスク装置および記録用光ディスクの記録用レーザパワーの制御処理方法等の光ディスク装置および光ディスク装置の記録方法に関する。
【背景技術】
【０００２】
光ディスクに情報を記録する方法としては、線速度が一定になるＣＬＶ方式の記録方式が一般的である。ＣＬＶ記録方式では、回転している光ディスクの線速度が一定となるためには、ディスクの半径方向において、内周部と外周部では回転速度が異なりディスクの回転速度は最内周部分が最も高くなる。従って、ディスク全面にわたって、一定の線速度で記録する場合の最高倍速は、最内周部分の回転速度の上限値によって決定される。この場合の上限値とは、ディスクを回転させるモータの機能限界によるものである。
【０００３】
そこで、ＣＬＶ記録方式よりさらに記録速度を向上させるための記録方式として、ディスク全面を複数のゾーンに区切り、各ゾーン内においてＣＬＶ方式の記録を実施するゾーンＣＬＶ方式と呼ばれる記録方式が採用されるようになった。
【０００４】
ゾーンＣＬＶ方式について図２を用いて説明する。図２はゾーンＣＬＶ記録方式の記録領域を示す光ディスク側面図である。まず、光ディスクのユーザデータ記録領域を事前に複数のゾーンに区切り、各ゾーンにおけるＣＬＶの記録速度を決定しておく。例えば、図２において、ゾーン１を８倍速ＣＬＶ、ゾーン２を１２倍速ＣＬＶ、ゾーン３を１６倍速ＣＬＶ、ゾーン４を２４倍速ＣＬＶなどである。
【０００５】
次に、各ゾーンにおける記録パワーについて説明する。図３は、記録パワーとエラーレートの関係を示したグラフである。ここでエラーレートとは、光ディスクへ記録を行い、記録された領域を再生した場合に、データを読み間違えた数を表すパラメータである。つまりエラーレートが低いほど、読み間違えたデータ数が少ないため、高品質の記録がなされたことがわかる。なお、図３は光ディスクへの記録パワーと、再生時の読み間違い数を表す特性図である。
【０００６】
図３において、ｎ倍速記録時、記録用パワーを低いパワーから高いパワーへ可変させた場合、徐々にエラーレートが低下し、最もエラーレートが低い状態でしばらく安定した領域が存在し、その後また、エラーレートは悪化している。つまりこの特性から、最適記録パワーは、エラーレートが最も低い部分で安定している領域の中心に設計することが好ましいことが分かる。
【０００７】
次に、ｎ倍速記録時とｍ倍速記録時の特性を比較する。ここで、ｎ倍速＜ｍ倍速なる関係の例を示す。記録倍速が上昇すると、記録パワーとエラーレートの関係は、異なる曲線を示し、ｎ倍速記録からｍ倍速記録へと記録速度が上がると、エラーレートのカーブも高い方へシフトしていくことが分かる。つまり、ｎ倍速で記録するときと、ｍ倍速で記録する場合で、最適な記録パワーが異なるため、各々の倍速について、最適記録パワーを決定する必要がある。
【０００８】
ここで、従来の最適記録パワーを決定するための、ＯＰＣ処理及びゾーン毎の記録パワーの決定方法について、図７を用いて説明する。図７は、従来の光ディスク記録装置のレーザパワー制御ブロック図であり、図７において、１は光ディスク、２はピックアップモジュール、３は反射光受光手段、４はＲＦ信号生成手段、５はエラーレート演算手段、６
は記録パワー演算手段、７はレーザパワー制御手段である。
【０００９】
まず、ＯＰＣについて説明する。ＯＰＣは、Ｏｐｔｉｍｕｍ  Ｐｏｗｅｒ  Ｃａｌｉｂｒａｔｉｏｎの略で、図２に示す光ディスクの、ユーザデータ記録領域よりも内周に存在する試し書き領域を利用する。つまりゾーン１と同等の記録速度で実施される。ＯＰＣで目標とする記録用最適パワーは、予め図２に示すエラーレートとの関係から設計しておく。この際、エラーレートは、図７のエラーレート演算手段５によって算出される。ＯＰＣの処理では、記録パワーを可変させ、記録された領域の反射光を反射光受光手段３によって受光し、受光した信号からＲＦ信号生成手段４により、ＲＦ信号を生成する。得られたＲＦ信号より、図５に示すアシンメトリ値を計算する。光ディスク装置は、エラーレートが低い値となる時のアシンメトリ値を設計段階で決定しておき、ＯＰＣで求める最適記録パワーの算出用として利用する。そして、目標とするアシンメトリ値となるパワーを、ＯＰＣの結果として最適記録パワーに決定する。なお、図５は光ディスクの反射光から得られるＲＦ信号波形図である。
【００１０】
次に各ゾーンにおける記録パワーの決定方法について説明する。ゾーンＣＬＶ方式の記録では、前述したとおり、高倍速記録になるほど、最適記録パワーが上昇する。しかしながら、ＯＰＣを実行するための試し書き領域は、ディスクの最内周部分にしか存在しない。つまり、ゾーン２以降についてはＯＰＣを実行することができない。そこで、ゾーン２以降の記録パワーについては、ＯＰＣの結果を利用し、図３に示す特性を事前に評価し、ＯＰＣの結果の記録パワーに対して、一意的な係数を掛け、ゾーン２用の記録パワーとし、またゾーン３用の係数を掛け、ゾーン３用の記録パワーとして、記録パワーを算出し、図７のレーザパワー制御手段７により、レーザパワーを発光させる制御となっている。
【００１１】
なお、ゾーンＣＬＶ光ディスクにおける最適記録パワーによる情報記録方法に関する一例が（特許文献１）に述べられている。
【特許文献１】特開平９−２８８８２５号公報
【発明の開示】
【発明が解決しようとする課題】
【００１２】
従来の光ディスク記録装置において、ゾーンＣＬＶ記録における、各ゾーンの記録パワーは、ＯＰＣの結果より一意的に算出されていた。しかしながら、図４に示すように、記録時の温度や、ディスクの感度ばらつきなど、様々な要因による条件により、ゾーンが切り替わったときの記録パワー対エラーレートの関係は変化する。図４において、ｎ倍速時の記録パワーとエラーレートの特性に対して、ｍ倍速時は通常、ｍ倍速の実線で示した特性となるはずであるが、前述した要因により、エラーレートが低い値となる時のパワーが低い方へシフトする場合や、高い方へシフトする場合などが存在する。このようにｍ倍速時の記録パワーとエラーレートの関係が、設計時と異なる場合、ｍ倍速のゾーンを記録する際の記録パワーに対して、例えば高い方へパワーがシフトした場合、図４における高いパワーへシフトした場合の点線の特性となるため、ｍ倍速のゾーンを記録中にわずかでも記録パワーが低くなってしまった場合、点線の左端の急峻にエラーレートが悪化している特性の部分に差し掛かってしまうため、記録特性が悪化してしまう。なお、図４は光ディスクへの記録パワーと、再生時の読み間違い数を表す特性がばらつくことを示した特性図である。
【００１３】
また、ｍ倍速時の記録パワーが低い方へシフトした場合においても同様の要因で、記録品質が悪化してしまうという課題がある。
【００１４】
本発明は、上記課題を解決するためになされたもので、光ディスク記録装置が、ゾーンＣＬＶ方式の記録を行う際に、記録時の温度や、ディスクのばらつきなど、あらゆる条件
により、ゾーンが切り替わったときの記録パワー対エラーレートの関係が変化することが原因で、ＯＰＣを実行しない記録速度における記録パワーの設定がズレることを補正することで、記録品質の悪化のない光ディスク装置および光ディスク装置の記録方法を提供することを目的とする。
【課題を解決するための手段】
【００１５】
上記の目的を達成するために、本発明の光ディスク装置は、記録中の光ディスクからの反射光を受光する、反射光受光手段と、受光した信号を演算しＲＦ信号を生成するＲＦ信号生成手段と、生成されたＲＦ信号から、光ディスクに記録されたデータを再生した際の、読み間違い数を演算するエラーレート演算手段と、生成されたＲＦ信号から、ＲＦ信号の非対称性を演算し、記録を行うための最適記録パワーを演算する記録パワー演算手段と、演算された最適記録パワーに補正を加えるためのデータを保持する記録パワー補正値記憶手段と、前記補正された記録パワーで発光するためのレーザパワー制御手段を有し、ＯＰＣ領域での試し書きを、２つ以上の記録速度で実施し、記録速度の変化に対して、ＯＰＣの結果として得られた記録パワーの変化量の関係から、ＯＰＣを実行しない記録速度における記録パワーの設計値からの補正を行うように構成したものである。
【発明の効果】
【００１６】
本発明は、光ディスク記録装置がゾーンＣＬＶ記録を実施する際に、温度やディスクばらつきで、ＯＰＣを実行しない記録速度のゾーンにおける記録パワーのズレを、回避することが可能となるため、記録品質の劣化のない光ディスク装置および光ディスク装置の記録方法を実現できる。
【発明を実施するための最良の形態】
【００１７】
請求項１に記載の発明は、記録型の光ディスクに対し、レーザの発光パターンを利用してデータを記録する光ディスク記録装置であり、記録中の光ディスクからの反射光を受光する、反射光受光手段と、受光した信号を演算しＲＦ信号を生成するＲＦ信号生成手段と、生成されたＲＦ信号から、光ディスクに記録されたデータを再生した際の読み間違い数を演算するエラーレート演算手段と、生成されたＲＦ信号から、ＲＦ信号の非対称性を演算し、記録を行うための最適記録パワーを演算する記録パワー演算手段と、演算された最適記録パワーに補正を加えるためのデータを保持する記録パワー補正値記憶手段と、補正された最適記録パワーで発光するためのレーザパワー制御手段を有する構成を採る。かかる構成によれば、光ディスク記録装置が、ゾーンＣＬＶ記録動作を実施する際に、ＯＰＣを複数の速度で実施し、その結果を利用することで、ＯＰＣを実施しないゾーンの記録用レーザパワーを補正するという作用を有する。
【００１８】
請求項２に記載の発明は、請求項１記載の光ディスク装置において、光ディスクのデータ記録領域を複数のゾーンに区切り、それぞれのゾーンにおいて、ＣＬＶ方式（線速度一定）の記録を実施する、ゾーンＣＬＶ記録の動作において、記録パワーを求めるために、光ディスク最内周にて試し書きを実施する際、２つの記録速度で試し書きを実施し、２速度分の結果を利用して、試し書きした２速度より速い記録速度における、最適記録パワーを算出するための補正を行う構成を採る。かかる構成によれば、２つの記録速度でＯＰＣを実行することで、記録速度の変化に対して、最適記録パワーがどの程度変化するかを検出することができるという作用を有する。
【００１９】
請求項３に記載の発明は、請求項１記載の光ディスク装置において、最適記録パワーの補正は、２速度分の試し書きの結果を３〜７段階に区分けし、記録パワー補正値記憶手段では、３〜７段階の結果に応じた補正量をテーブルとして記憶しておく構成を採る。かかる構成によれば、請求項１記載の光ディスク装置において、複雑な演算処理を行うことなく記録パワーの補正をおこなうことができるという作用を有する。
【００２０】
請求項４に記載の発明は、記録型の光ディスクに対し、レーザの発光パターンを利用してデータを記録する光ディスクの記録方法であって、光ディスクのデータ記録領域を複数のゾーンに区切り、それぞれのゾーンにおいて、ＣＬＶ方式（線速度一定）の記録を実施する、ゾーンＣＬＶ記録の動作において、最適記録パワーを求めるために、光ディスク最内周にて試し書きを実施する際、２つの記録速度で試し書きを実施し、２速度分の記録速度の結果を利用して、試し書きした２速度より速い記録速度における、最適記録パワーを算出するための補正を行うことを特徴とする光ディスク装置の記録方法を採る。かかる最適記録パワー算出方法によれば、光ディスク記録装置が、ゾーンＣＬＶ記録動作を実施する際に、ＯＰＣを複数の速度で実施し、その結果を利用することで、ＯＰＣを実施しないゾーンの記録用レーザパワーを補正するという作用を有する。
【００２１】
請求項５に記載の発明は、請求項４記載の光ディスク装置の記録方法において、最適記録パワーの補正は、２速度分の試し書きの結果を３〜７段階に区分けし、記録パワー補正値記憶手段では、３〜７段階の結果に応じた補正量をテーブルとして記憶しておく構成を採る。かかる構成によれば、複雑な演算処理を行うことなく記録パワーの補正を行うことができるという作用を有する。
【００２２】
（実施の形態１）
図１は本発明の実施の形態における光ディスク記録装置のレーザ制御ブロック図である。図１において、１は光ディスク、２はピックアップモジュール、３は反射光受光手段、４はＲＦ信号生成手段、５はエラーレート演算手段、６は記録パワー演算手段、７はレーザパワー制御手段、８は記録パワー補正値記憶手段である。
【００２３】
光ディスク記録装置は、光ディスク１への最適な記録パワーがどの程度であるか、設計段階で設定しておく。この際用いるのが、記録パワーに対して、記録した領域を再生させた時にどれだけ読み間違えたかを表す、エラーレートというパラメータである。図３において、横軸は記録パワー、縦軸はエラーレートとなっている。エラーレートの検出に関しては、光ディスク１に光ディスク記録装置が記録した領域を再生させた時に、反射光受光手段３によって得られる反射光信号を、ＲＦ信号生成手段４により、ＲＦ信号へ演算し、得られたＲＦ信号から、エラーレート演算手段５によって、エラーレートを演算する。
【００２４】
まず、記録パワーを低い方から高い方へと可変させると、エラーレートは、高い値、即ち読み間違いが多い状態から、徐々に低い値、即ち読み間違いが少ない状態へと遷移し、しばらくは、記録パワーを変化させてもエラーレートの変化のない安定した状態となり、さらに記録パワーを上げると、エラーレートは悪化していく。従って、設計段階では、エラーレートが低い値で安定している領域の中心部分を最適記録パワーとして、ＯＰＣの目標値に設定することが望ましい。
【００２５】
同様の検討で、光ディスク装置が光ディスクに対して、ゾーンＣＬＶ方式で記録する際の、対応する各ゾーンの記録速度すべてに対して、前述した記録パワーとエラーレートの関係を取得しておく。そして、各ゾーンにおける最適記録パワーは、各ゾーンの記録パワーとエラーレートの関係から求まる最適記録パワーに対して、ＯＰＣを実行した倍速とのパワーの比率を事前に求めておき、一定の係数を求めておく。
【００２６】
図８に、処理手順の流れ図を示す。
【００２７】
光ディスク記録装置は、光ディスク１が装着されると（Ｓ１）、光ディスク１を回転させ、フォーカスサーボ、トラッキングサーボをかけ、光ディスク１に対して、記録・再生ができる状態で待機（Ｓ２）する。次に記録要求があった場合（Ｓ３）に、最適記録パワ
ーを求めるための処理であるＯＰＣ処理を実行する。
【００２８】
以下ＯＰＣ処理及びゾーン毎の記録パワーの設定ついての一例を図６を参照し説明する。図６は本発明の実施の形態における光ディスクへの記録パワーを補正するためのテーブル図である。
【００２９】
まず、ＯＰＣを実行しようとする記録速度をｍ倍速とする（Ｓ４）。ＯＰＣ処理で記録パワーを求める際は、アシンメトリを利用する。アシンメトリはＲＦ信号の非対称性であり、記録パワーに対して、リニアな特性をもっているため、前述したエラーレートが安定する部分のアシンメトリ値を事前に取得しておく。ＯＰＣではまず記録パワーを可変させながら、光ディスクへ記録を行う。次に自身が記録した領域を再生する。再生させたときに反射光受光手段３によって得られる反射光信号を、ＲＦ信号生成手段４によってＲＦ信号へと演算する。得られたＲＦ信号をもとに、記録パワー演算手段６において、アシンメトリ値を演算し、事前に目標としておいたアシンメトリ値になるときの、記録パワーを算出し、ＯＰＣの結果とする。この時得られた記録パワーをＰｍとする。
【００３０】
従来は、前述した１つの記録速度においてＯＰＣを実行していたが、今回ここで、現在ＯＰＣした記録速度よりも低い記録速度（ｎ倍速とする）へ回転数を落とし、低い記録速度におけるＯＰＣを前述と同様の手段にて実行（Ｓ５）し、この時得られたＯＰＣの結果の記録パワーをＰｎとする。ｍ倍速で実施したＯＰＣを１回目のＯＰＣ、ｍ倍速よりも低い記録速度であるｎ倍速で実施したＯＰＣを２回目のＯＰＣとする。
【００３１】
ＯＰＣが正常に終了すると、次に、光ディスク記録装置は、データ記録を開始する（Ｓ６）。このときデータ領域の最内周のゾーンは、１回目のＯＰＣと同一ゾーンとするため、ＯＰＣの結果の記録パワーで記録を行う。記録が進むと、ゾーンＣＬＶ記録における、ゾーンの切り替わりポイントに差し掛かる。ここで、光ディスク記録装置は一旦記録動作を中断（Ｓ７）し、光ディスクの回転速度をゾーン２の記録速度へ変化させる（Ｓ８）。ゾーン２をｏ倍速とする。またこの時同時に、記録パワーの設定も変更する。従来は、１回目のＯＰＣの結果に対して、一定の係数を掛けたパワーをゾーン２用のパワーとして設定していたが、この手段では、温度環境やディスク間のばらつきなど、あらゆる要因により、ＯＰＣを実施していないゾーンでの最適記録パワーにズレが生じている場合がある。そこで本実施の形態では、２回分のＯＰＣの結果を利用する。１回目のＯＰＣの結果と、２回目のＯＰＣの結果、の比を参照すれば、最適記録パワーの変化が、現在光ディスク記録装置の動作温度環境や、挿入されたメディアのばらつきの影響により、記録速度の変化に対して、最適記録パワーの変化量がどの程度があるかを検知することが可能となる。そこで１回目のＯＰＣの結果であるＰｍと２回目のＯＰＣの結果であるＰｎの比（Ｐｍ／Ｐｎ＝ｋとする）を算出する（Ｓ９）。ここで、事前にこの比に対して、図６に示すように、どの程度補正すればよいかのテーブルを、光ディスク記録装置の、記録パワー補正値記憶手段８内に格納しておき、実際に得られたｋの結果から、テーブルを参照し、従来の方法で、事前に設計された係数より算出されるｏ倍速用の記録パワーＰｏに対して、補正値を加え、その結果を最終的なゾーン２用の記録パワーとして決定する（Ｓ１０）。例えば、ｋが小さい場合、記録速度の変化に対して、最適な記録パワーの比が小さいことから、現在光ディスク記録装置が記録しようとしている状態は、設計段階で求めたＰｏよりも低い記録パワーでよいことが分かるため、Ｐｏに１以下の補正係数を掛け、記録パワーを補正する。ｋが大きい場合も同様の考え方により、Ｐｏに１以上の補正係数を掛け、Ｐｏを補正する。この際、２つの速度におけるＯＰＣのパワー比であるｋの値については、テーブルを５段階に区分し、それぞれについて補正する量を設定している。このようにして得られたゾーン２用の記録パワーを用いて、ゾーン２に記録を開始する（Ｓ１１）。
【００３２】
以下、同様にして、ゾーン２の記録が終了し、ゾーン３の領域へ到達した場合、記録動
作を一旦中断し、記録速度をゾーン３用に上げ、記録パワーを前述した方法にて補正する。例えばゾーン３の記録速度がｐ倍速であり、その時設計で得られた１回目ＯＰＣより最適記録パワーがＰｐと求まる場合、Ｐｐに対して、前述のとおりの補正をかけ、補正された記録パワーにて、ゾーン３を記録する。以下、データ記録が終了するまでに、複数のゾーンが存在する場合（Ｓ１２）、その各々のゾーンに補正されたパワーで記録を実施し、記録用データをすべて記録し終わった時に光ディスク装置は記録動作を終了する（Ｓ１３）。
【００３３】
本実施の形態の例では、補正テーブルを５段階とした構成を採ったが、３〜７段階でも実施することができる。３段階よりも少ないテーブルでの補正は精度の点で不十分で、また７段階より大きくなると処理が複雑になり実用上課題が残る。
【００３４】
以上の構成により、光ディスク記録装置が、ゾーンＣＬＶ方式の記録を行う際に、記録時の温度や、ディスクのばらつきなど、あらゆる条件により、ゾーンが切り替わったときの記録パワー対エラーレートの関係が変化することが原因で、ＯＰＣを実行しない記録速度における記録パワーの設定がズレるという問題が回避され、ゾーンが切り替わった領域において、記録品質の悪化が回避され、ディスク全面にわたって安定した記録品質を得ることができるようになる。
【産業上の利用可能性】
【００３５】
本発明に係る光ディスク装置および光ディスク装置の記録方法は、光ディスク記録装置がゾーンＣＬＶ記録を実施する際に、温度やディスクばらつきでＯＰＣを実行しない記録速度のゾーンにおける記録パワーのズレを回避することが必要とされる、光ディスクに情報を記録・再生する光ディスク装置および記録用光ディスクの記録用レーザパワーの制御処理方法等の用途にも適用できる。
【図面の簡単な説明】
【００３６】
【図１】本発明の実施の形態における光ディスク記録装置のレーザ制御ブロック図
【図２】ゾーンＣＬＶ記録方式の記録領域を示す光ディスク側面図
【図３】記録パワーとエラーレートの関係を示したグラフ
【図４】光ディスクへの記録パワーと、再生時の読み間違い数を表す特性がばらつくことを示した特性図
【図５】光ディスクの反射光から得られるＲＦ信号波形図
【図６】本発明の実施の形態における光ディスクへの記録パワーを補正するためのテーブル図
【図７】従来の光ディスク記録装置のレーザパワー制御ブロック図
【図８】処理手順を示す流れ図
【符号の説明】
【００３７】
１    光ディスク
２    ピックアップモジュール
３    反射光受光手段
４    ＲＦ信号生成手段
５    エラーレート演算手段
６    記録パワー演算手段
７    レーザパワー制御手段
８    記録パワー補正値記憶手段
【図１】
2005317064.tif 000003
【図２】
2005317064.tif 000004
【図３】
2005317064.tif 000005
【図４】
2005317064.tif 000006
【図５】
2005317064.tif 000007
【図６】
2005317064.tif 000008
【図７】
2005317064.tif 000009
【図８】
2005317064.tif 000010